(57)【特許請求の範囲】
【請求項１】
所定距離だけ離隔して起立姿勢に設けられる一対の支柱と、
気体または液体の挿入により膨らみ、抜出しにより萎む１または２以上の袋体を有し、該袋体が萎んだ状態から膨らむことにより上記起立姿勢の支柱に沿って起立する可撓性の防水シートとを具備し、
前記防水シートは膨らむと中空棒状になる前記袋体を有し、該防水シートに対する各袋体の取付けが、該防水シートが起立状態のときに各袋体の長手方向が水平方向となるように設けられ、更に前記防水シートには、帯状の補強ベルトが、その長手方向を該防水シートが起立状態のときに水平方向となるように設けられ、更に前記防水シートの両側側部には、前記支柱に沿って案内される被ガイド部材が取付けられていることを特徴とする防水装置。
【請求項２】
所定距離だけ離隔して起立姿勢に設けられる一対の支柱と、
気体または液体の挿入により膨らみ、抜出しにより萎む１または２以上の袋体を有し、該袋体が萎んだ状態から膨らむことにより上記起立姿勢の支柱に沿って起立する可撓性の防水シートとを具備し、
前記防水シートは膨らむと中空棒状になる前記袋体を有し、該防水シートに対する各袋体の取付けが、該防水シートが起立状態のときに各袋体の長手方向が鉛直方向となるように設けられ、更に前記防水シートには、帯状の補強ベルトが、その長手方向を該防水シートが起立状態のときに水平方向となるように設けられ、更に前記防水シートの両側側部には、前記支柱に沿って案内される被ガイド部材が取付けられていることを特徴とする防水装置。
【請求項３】
前記防水シートの補強ベルトの両端部には、前記支柱に沿って案内される被ガイド部材が取付けられていることを特徴とする請求項１または２に記載の防水装置。
【請求項４】
前記被ガイド部材が球体からなり、該球体が前記防水シートに連結部を介して取付けられ、前記支柱は、該球体が内部を通る筒状体に、該連結部を通す貫通する長孔が設けられたものからなることを特徴とする請求項３に記載の防水装置。
【請求項５】
前記防水シートの両側側部に設けられ、膨らむと中空棒状になるシール用袋体と、該シール用袋体を防水対象の壁に押し付けるべく該壁に取付けられる押さえ部材とを、更に備えることを特徴とする１乃至４のいずれかに記載の防水装置。
【請求項６】
前記支柱が、起立姿勢と横倒れ姿勢とにわたり変位可能になっていることを特徴とする請求項１乃至５のいずれかに記載の防水装置。
【請求項７】
起立姿勢の支柱の前側であって防水対象の壁に、起立状態であって防水シートの両側側部と水圧を受けることにより接触するように設けられるスペーサを更に備えることを特徴とする請求項１乃至６のいずれかに記載の防水装置。
【請求項８】
所定距離だけ離隔して対向配置された防水対象である２つの壁の間を防水すべく、該２つの壁の間に、請求項５に記載の防水装置が設けられる防水構造であって、
膨らんだ状態の前記シール用袋体を壁面に押さえる押さえ部材が壁に設けられていることを特徴とする防水構造。
【請求項９】
所定距離だけ離隔して対向配置された防水対象である２つの壁の間を防水すべく、該２つの壁の間に、請求項６に記載の防水装置が設けられる防水構造であって、
上記２つの壁の間に設けられ、上記防水装置を、各支柱を横倒れ姿勢としかつ袋体を萎ませた状態で収納する凹溝と、
該凹溝を覆う開閉蓋とを具備し、
前記各支柱が前記開閉蓋の下面側に一体的に設けられていることを特徴とする防水構造。
【請求項１０】
前記防水シートの水平方向長さが両壁間の距離よりも長く、該防水シートの両側側部が、両側の壁に取り付けたスペーサのそれぞれと接触して水密状態になることを特徴とする請求項８または９に記載の防水構造。
【請求項１１】
所定距離離隔して対向配置された防水対象である２つの壁の間を防水すべく、該２つの壁の間に、請求項１乃至５に記載の防水装置が設けられる防水構造であって、
上記２つの壁のそれぞれに上記防水装置の支柱が固着されているとともに、２つの壁の間に設けられた凹溝に、上記防水装置の少なくとも防水シートが袋体を萎ませた状態で収納され、かつ該凹溝が開閉蓋により覆われるようになっており、前記防水シートの水平方向長さが両壁間の距離よりも長く、該防水シートの両側側部が、両側の壁に取り付けたスペーサのそれぞれと接触して水密状態になることを特徴とする防水構造。
【請求項１２】
前記防水シートの下部が凹溝内に水密状態に取付けられていることを特徴とする請求項８乃至１１のいずれかに記載の防水構造。
【請求項１３】
前記防水シートの起立状態を維持するロック手段が設けられていることを特徴とする請求項８乃至１２のいずれかに記載の防水構造。
【請求項１４】
前記ロック手段が支柱に設けられていることを特徴とする請求項１３に記載の防水構造。
【発明の詳細な説明】
【０００１】
【発明の属する技術分野】
本発明は、例えば地面とほぼ同じ高さ又は少し高いビルや商店等の入口など、或いは、地面よりも低い地下街、或いは地下駐車場、或いは地下鉄、ビルの地下入口などの箇所に、雨水等の水が流れ込むのを防止するための防水装置およびそれを用いた防水構造に関する。
【０００２】
【従来の技術】
上述した地面よりも低い箇所は雨水等の浸水が起こり易く、その浸水を防止することが検討されている。
【０００３】
図１６は従来の防水装置を示す平面図で、図１７はその防水装置を示す右側面図である。
【０００４】
この従来の防水装置は、凹溝１００を覆う開閉蓋１０１を二点鎖線にて示すように起立させて、その起立した開閉蓋１０１の高さを利用して防水を行うように構成されている。図中の１０２は、開閉蓋１０１の端部位置を規制しつつ１／４回転を可能にさせる蝶番で、同１０３は凹溝１００の一部を覆うように設けたカバー１０４に設けた手動ハンドル用小窓で、同１０５は小窓１０３を介し図示しない手動ハンドルの回転操作により開閉蓋１０１を起立させていくジャッキである。
【０００５】
【発明が解決しようとする課題】
しかしながら、従来の防水装置による場合には、開閉蓋１０１が防水用の堰として機能するため、堰高さを高くしようとすると、開閉蓋１０１の幅寸法を大きくする必要があり、また凹溝１００の内部にジャッキ１０５等を設けるべく凹溝１００を深くする必要があるために、防水装置が大型化するという難点がある。また、手動ハンドルの操作によるため、開閉蓋１０１を起立させてセットする時間に長時間を要するという問題もある。
【０００６】
本発明は、このような従来技術の課題を解決すべくなされたものであり、短時間でのセットを可能にでき、しかも凹溝の小型化を図れる防水装置および防水構造を提供することを目的とする。
【０００７】
【課題を解決するための手段】
請求項１の発明の防水装置は、所定距離だけ離隔して起立姿勢に設けられる一対の支柱と、
気体または液体の挿入により膨らみ、抜出しにより萎む１または２以上の袋体を有し、該袋体が萎んだ状態から膨らむことにより上記起立姿勢の支柱に沿って起立する可撓性の防水シートとを具備し、
前記防水シートは膨らむと中空棒状になる前記袋体を有し、該防水シートに対する各袋体の取付けが、該防水シートが起立状態のときに各袋体の長手方向が水平方向となるように設けられ、更に前記防水シートには、帯状の補強ベルトが、その長手方向を該防水シートが起立状態のときに水平方向となるように設けられ、更に前記防水シートの両側側部には、前記支柱に沿って案内される被ガイド部材が取付けられていることを特徴とする。
【０００８】
この本発明装置による場合には、気体または液体の挿入により袋体を膨らませると防水シートが支柱に沿って起立する。このとき、気体または液体の挿入量は、その挿入速度を調整することで容易に増大できるので、防水シートを短時間でセットすることが可能になる。しかも起立した防水シートの高さ寸法は任意に調整しても畳むと防水シートは小さくなるので、凹溝の小型化を図り得る。また、この防水装置にあっては、袋体が膨らむことで防水シートが起立状態に変化していき、セットされる。この構成の場合には、袋体が膨らんだ直径等の高さ寸法に応じて防水シートの起立高さが決まり、その高さまで防水できることとなるので、その起立高さの調整は、膨らんだ状態の袋体の断面を縦長にしたり、或いは複数の袋体を並列に設けるようにすればよい。
【０００９】
更に、この防水装置にあっては、防水シートが水圧を受けても、水平方向に長い補強ベルトが防水シートの撓み変形を抑制する。
【００１０】
更に、防水シートに被ガイド部材が設けられているので、被ガイド部材が支柱に沿って確実に案内されて防水シートを起立姿勢にすることが可能になる。
【００１１】
請求項２の発明の防水装置は、所定距離だけ離隔して起立姿勢に設けられる一対の支柱と、
気体または液体の挿入により膨らみ、抜出しにより萎む１または２以上の袋体を有し、該袋体が萎んだ状態から膨らむことにより上記起立姿勢の支柱に沿って起立する可撓性の防水シートとを具備し、
前記防水シートは膨らむと中空棒状になる前記袋体を有し、該防水シートに対する各袋体の取付けが、該防水シートが起立状態のときに各袋体の長手方向が鉛直方向となるように設けられ、更に前記防水シートには、帯状の補強ベルトが、その長手方向を該防水シートが起立状態のときに水平方向となるように設けられ、更に前記防水シートの両側側部には、前記支柱に沿って案内される被ガイド部材が取付けられていることを特徴とする。
【００１２】
この防水装置にあっては、気体または液体の挿入により袋体を膨らませると防水シートが支柱に沿って起立する。このとき、気体または液体の挿入量は、その挿入速度を調整することで容易に増大できるので、防水シートを短時間でセットすることが可能になる。しかも起立した防水シートの高さ寸法は任意に調整しても畳むと防水シートは小さくなるので、凹溝の小型化を図り得る。また、袋体が膨らむとその袋体自身が長く伸びていき、膨らんだ状態の袋体の長さに応じた高さに防水シートをセットできる。この構成の場合には、膨らんだ状態の袋体の長さを設計変更することで、防水シートの高さを変えることができる。
【００１３】
更に、この防水装置にあっては、防水シートが水圧を受けても、水平方向に長い補強ベルトが防水シートの撓み変形を抑制する。
【００１４】
更に、防水シートに被ガイド部材が設けられているので、被ガイド部材が支柱に沿って確実に案内されて防水シートを起立姿勢にすることが可能になる。
【００１５】
請求項３の発明の防水装置は、前記防水シートの補強ベルトの両端部には、前記支柱に沿って案内される被ガイド部材が取付けられていることを特徴とする。
【００１６】
この防水装置にあっては、被ガイド部材と防水シートとの間に強い力が作用しても、被ガイド部材からの力が補強ベルトに吸収されるので、防水シートが破損し難くすることが可能となる。
【００１７】
請求項４の発明の防水装置は、前記被ガイド部材が球体からなり、該球体が前記防水シートに連結部を介して取付けられ、前記支柱は、該球体が内部を通る筒状体に、該連結部を通す貫通する長孔が設けられたものからなることを特徴とする。
【００１８】
この防水装置にあっては、支柱は球体が内部を通る筒状体であり、長孔を連結部が移動できるので、支柱を壁に密着して取付けることができる。これにより、支柱と壁との間の水密性を向上させ得る。また、支柱を壁に固着することも可能になる。
【００１９】
請求項５の発明の防水装置は、前記防水シートの両側側部に設けられ、膨らむと中空棒状になるシール用袋体と、該シール用袋体を防水対象の壁に押し付けるべく該壁に取付けられる押さえ部材とを、更に備えることを特徴とする。
【００２０】
この防水装置にあっては、膨らんだ状態のシール用袋体を押さえ部材が壁に押し付けるようにすることができるので、防水シートと壁との間に隙間が発生することを抑制できるようになる。
【００２１】
請求項６の発明の防水装置は、前記支柱が、起立姿勢と横倒れ姿勢とにわたり変位可能になっていることを特徴とする。
【００２２】
この防水装置にあっては、不要の場合には支柱を横倒れ姿勢にすればよい。よって、横倒れ姿勢の支柱が入る凹部を設けておくことで、支柱が邪魔にならないようにすることが可能となる。
【００２３】
請求項７の発明の防水装置は、起立姿勢の支柱の前側であって防水対象の壁に、起立状態であって防水シートの両側側部と水圧を受けることにより接触するように設けられるスペーサを更に備えることを特徴とする。
【００２４】
この防水装置にあっては、防水シートの両側側部とスペーサとが水圧を受けることにより接触するようになるので、防水シートの両側側部とスペーサとの間における水密状態が確保される。
【００２５】
請求項８の発明の防水構造は、所定距離だけ離隔して対向配置された防水対象である２つの壁の間を防水すべく、該２つの壁の間に、請求項５に記載の防水装置が設けられる防水構造であって、膨らんだ状態の前記シール用袋体を壁面に押さえる押さえ部材が壁に設けられていることを特徴とする。
【００２６】
この防水構造にあっては、押さえ部材が膨らんだ状態のシール用袋体を壁面に押し付けるので、防水シートと壁との間が確実にシールされることになる。
【００２７】
請求項９の発明の防水構造は、所定距離だけ離隔して対向配置された防水対象である２つの壁の間を防水すべく、該２つの壁の間に、請求項６に記載の防水装置が設けられる防水構造であって、上記２つの壁の間に設けられ、上記防水装置を、各支柱を横倒れ姿勢としかつ袋体を萎ませた状態で収納する凹溝と、該凹溝を覆う開閉蓋とを具備し、前記各支柱が前記開閉蓋の下面側に一体的に設けられていることを特徴とする。
【００２８】
この防水構造にあっては、開閉蓋をあけて凹溝内に収納されている横倒れ状態の支柱を起立させて保持手段にてその状態に保持させ、凹溝内に収納されている袋体を膨らませると、袋体の膨みに伴って防水シートが支柱に沿って起立して広がり、２つの壁の間を防水できる。不要のときは、防水シートは勿論のこと支柱までも凹溝内に収納できる。また、この防水構造にあっては、開閉蓋を凹溝の長手方向に開くと、支柱を起立状態にすることが可能になる。不要なときは、開閉蓋を閉じると、支柱を凹溝内に収納させ得る。なお、開閉蓋は、両側のそれぞれに支柱を設ける２分割構造、或いは中央部を除く両側のそれぞれに支柱を設ける３分割構造とすることができる。
【００２９】
請求項１０の発明の防水構造は、前記防水シートの水平方向長さが両壁間の距離よりも長く、該防水シートの両側側部が、両側の壁に取り付けたスペーサのそれぞれと接触して水密状態になることを特徴とする。
【００３０】
この防水構造にあっては、防水シートの両側側部とスペーサとの間が接触して水密状態になるので、両壁間の防水をより確実に行うことが可能となる。
【００３１】
請求項１１の発明の防水構造は、所定距離離隔して対向配置された防水対象である２つの壁の間を防水すべく、該２つの壁の間に、請求項１乃至５に記載の防水装置が設けられる防水構造であって、上記２つの壁のそれぞれに上記防水装置の支柱が固着されているとともに、２つの壁の間に設けられた凹溝に、上記防水装置の少なくとも防水シートが袋体を萎ませた状態で収納され、かつ該凹溝が開閉蓋により覆われるようになっており、前記防水シートの水平方向長さが両壁間の距離よりも長く、該防水シートの両側側部が、両側の壁に取り付けたスペーサのそれぞれと接触して水密状態になることを特徴とする。
【００３２】
この防水構造にあっては、開閉蓋をあけて凹溝内に収納されている袋体を膨らませると、袋体の膨みに伴って防水シートが支柱に沿って起立して広がり、防水対象である２つの壁の間を防水できる。また、この防水構造にあっては、防水シートの両側側部とスペーサとの間が接触して水密状態になるので、両壁間の防水をより確実に行うことが可能となる。
【００３３】
請求項１２の発明の防水構造は、前記防水シートの下部が凹溝内に水密状態に取付けられていることを特徴とする。
【００３４】
この防水構造にあっては、防水シートの下部が凹溝内に水密状態に取付けられているので、両壁間の防水を更に確実に行うことが可能となる。
【００３５】
請求項１３の発明の防水構造は、前記防水シートの起立状態を維持するロック手段が設けられていることを特徴とする。
【００３６】
この防水装置にあっては、ロック手段が防水シートの起立状態を維持するので、長期間にわたり安定した防水を行うことができる。
【００３７】
請求項１４の発明の防水構造は、前記ロック手段が支柱に設けられていることを特徴とする。
【００３８】
この防水装置にあっては、支柱を所望の状態に取付けるだけでロック手段が備わった状態にすることができ、別途ロック手段を配設する必要がなく便利である。
【００３９】
【発明の実施の形態】
以下、本発明の実施形態を具体的に説明する。
【００４０】
図１は本実施形態に係る防水装置をビルの入口に適用した防水構造における防水装置の使用状態を示す正面図、図２は同防水装置の使用状態を示す背面図、図３は同防水装置の使用状態を示す平面図であり、図４は同防水装置の収納状態を示す左側面図である。
【００４１】
この防水構造は、所定距離だけ離隔して対向配置された防水対象である２つの壁１、２の間を防水対象として防水装置１０が配設されており、両壁１、２の間の地面に設けた凹溝３と、その凹溝３を覆う開閉蓋４とを有する。凹溝３は壁１、２の離隔方向に長く形成され、開閉蓋４は、後で詳述するが、凹溝３とほぼ同じ長さで凹溝３の幅よりも広幅に形成されている。なお、凹溝３の設ける箇所は、地面に限らず、コンクリート等が敷かれた部分などであってもよい。
【００４２】
上記防水装置１０は、一対の支柱１１、１２と、２つの袋体１３と、これら袋体１３を両側面側に有する矩形状をした防水シート１４と、一対のスペーサ１５、１６とを備える。
【００４３】
支柱１１、１２は、図３に示すように、共に断面矩形状をした所定長の金属筒２０がその一辺の幅中心に長孔２１が形成されたもので、支柱１１は正面視右側の壁１に起立姿勢で固着され、支柱１２は正面視左側の壁２に起立姿勢で固着されており、これら支柱１１、１２の下部は凹溝３内に入っている。支柱１１の形態を図５に詳細に示す。金属筒２０の長さ寸法は、堰高さＨ（図１参照）よりも若干長く設定されており、これら両支柱１１、１２は、長孔２１が壁１と２の中心側に向けて対面する状態で配設されている。
【００４４】
スペーサ１５、１６は、共に前側の平板部２３と後側の三角柱部２４とを有する一体成形物であって、支柱１１、１２とほぼ同じ長さに設定されている。スペーサ１５は正面視右側の壁１であって支柱１１よりも前側位置に長手方向を鉛直方向として固着され、スペーサ１６は正面視左側の壁２であって支柱１２よりも前側位置に長手方向を鉛直方向として固着されており、これらスペーサ１５、１６の下部は凹溝３内に入っている。スペーサ１５、１６の材質は、特に問わないが、成形性、量産性に優れる樹脂が好ましい。
【００４５】
袋体１３は、例えばゴム製のもので、入口１３ａからの気体、例えば圧縮エアの挿入により膨らんで棒状となる中空状のものを使用し、袋体１３の下部１３ｂは凹溝３内に固着されている。袋体１３の下部１３ｂを除く部分１３ｃは、膨らませることで起立状態とされる部分であり、部分１３ｃの長さはこの図示例では堰高さＨよりも若干長く設定されている。なお、袋体１３の素材は、ゴムに限らず、気密性を有するものであれば、他の材質のものを使用できる。
【００４６】
防水シート１４は、例えばゴム製の矩形状をしたもので、長辺寸法は両壁１と２の離隔距離Ｌ（図１参照）よりも若干長く、短辺寸法は堰高さＨよりも若干長く形成されている。図６に示すように、防水シート１４の下部は固着部１４ａとなっていて、その固着部１４ａは凹溝３の内部に入っていて、前側に折られて凹溝３の底面に固着されている。その固着は、この図示例では多数の箇所に配したボルト１７にて行われている。なお、固着部１４ａの固着は、連続した状態で行うのが、水密性を向上できる点で好ましい。
【００４７】
また、防水シート１４の固着部１４ａを除く部分は、防水部１４ｂとして機能する部分であり、防水部１４ｂは使用状態で起立状態にされ、その使用状態において堰高さＨとなるように設定されている。また、防水部１４ｂの両端部は前側に折られて前記スペーサ１５、１６と接触する水密部１４ｃ、１４ｄとして機能する。なお、水密部１４ｃおよび１４ｄの固着部１４ａ寄りの部分に関しては、その一部が、防水シート１４の起立状態への移行により湾曲してスペーサ１５、１６から離れる虞があるので、図１８（ａ）に示すように防水シート１４の下端の両角部に切欠部１４ｆを設け、切欠部１４ｆの両縁１４ｇ同士を接着等するとともに破線部分を谷折りし、図１８（ｂ）に示すように水密部１４ｄと固着部１４ａと防水部１４ｂとが相互に直角に近い所定角度となるようにしている。図１８では水密部１４ｄ側を示しているが、もう片方の水密部１４ｃでも同様となっている。
【００４８】
また、防水シート１４の背面側には、複数、この図示例では３本の帯状をした補強ベルト２６がその長手方向を防水シート１４の長手方向に一致させ、かつ平行にして縫付け等により固着されている。各補強ベルト２６の両端には、図３に示すように被ガイド部材３０が左右対称状に取付けられている。ここで、正面視右側の被ガイド部材３０の取付け構造を、図５（平面図）および図７（正面図）を用いて説明する。被ガイド部材３０は支柱１１の内部空洞に入っている鋼球等の球体３１と、これに連結部３２を介して連結された逆Ｊ字状の取付部３３と、取付部３３の先端に取付けられた抜け防止部材３４とを有し、取付部３３が補強ベルト２６の両端部を折り返して形成された挿入部２６ａに挿入されており、抜け防止部材３４が挿入部２６ａの外側に位置するように配設されている。なお、左側の被ガイド部材３０の取付け構造も左右対称で同様である。また、球体３１は、鋼球に限らず、硬質の他の金属や樹脂からなる球状体を用いることができる。
【００４９】
上記連結部３２は長孔２１を介して上下方向に移動可能であり、被ガイド部材３０の球体３１は支柱１１の内部空洞にて案内される。なお、支柱１１、１２には、図４および図８に示すように、ロック手段４０が設けられている。ロック手段４０は、長孔２１を挟んで片方の側に回動自在に設けられたロック片４１と、もう片方の側に設けた鉤部材４２とを有し、上記連結部３２が所定高さ以上に達すると、ロック片４１を鉤部材４２に係止させることで、連結部３２の落下、ひいては防水シート１４の落下を防止する。
【００５０】
上記補強ベルト２６は、前記離隔距離Ｌに応じた強度のものを使用することが好ましい。つまり、離隔距離Ｌが長い場合は、水圧により大きく湾曲した状態になり易いために強度の高い材料のものを使用し、離隔距離Ｌが短い場合には強度の低い材料を使用しても支障がないからである。例えば、強度の高い材料としてピアノ線或いは鋼線等が該当し、強度の低い材料としては繊維等が該当する。
【００５１】
かかる防水シート１４の背面の両側側部には、上記袋体１３が前記水密部１４ｃ、１４ｄよりも内側寄りの位置に取付けられている。袋体１３の防水シート１４への取付けは、袋体１３の上部に設けた貫通孔１３ｄと、防水シート１４の上部に設けた貫通孔１４ｅとを連結部材２５を介して連結することで行っている（図９参照）。なお、貫通孔１３ｄは、袋体１３のエア溜り部の外側のエア漏れが起こらない箇所に設けている。連結部材２５としては、この実施形態では金具を使用しているが、ロープや紐などを用いることができる。
【００５２】
上記両袋体１３の入口１３ａには、Ｔ字状をしたエア挿入部３５がゴム管を介して取付けられ、一端３５ａから、例えば圧縮エアが供給されるようになっている。圧縮エアの供給は、例えば防水装置１０が配設された近傍に、例えばコンプレッサーからの圧縮エアを排出する排出管１８を予め設けておき（図３参照）、防水装置１０が使用状態になったときに、一端３５ａと前記排出管１８とを連結する等により行われる。なお、排出管１８の先端側は、自在な変形を可能とすべくゴム管等を用いるのが好ましい。
【００５３】
次に、このように構成された本実施形態の防水構造における防水装置１０の取り扱い内容につき説明する。
【００５４】
袋体１３が萎んだ収納状態にする際は、図４に示すように、その袋体１３および防水シート１４は折り畳まれて凹溝３内に収納され、その凹溝３には開閉蓋４が覆われる状態とされる。なお、前述した開閉蓋４は、図３に二点鎖線にて示すように支柱１１、１２とスペーサ１５、１６とに相当する部分が切欠かれている。
【００５５】
一方、使用状態にする際は、開閉蓋４を外し、エア挿入部３５の一端３５ａと前記排出管１８とを連結して袋体１３を膨らませる。これにより、図１０に示すように、袋体１３が起立姿勢に移行して高くなっていき、また、被ガイド部材３０が支柱１１、１２により案内されて高くなっていく。なお、袋体１３と支柱１１、１２との離隔距離は短い程よい。つまり、長ければ、被ガイド部材３０の球体３１と支柱１１、１２との間の滑り摩擦に伴う抵抗が大となり易く、スムーズな動きを確保し難いからである。そして、袋体１３が高くなっていくことにより、防水シート１４の上部が連結部材２５を介して引上げられて防水シート１４が広がって高くなっていき、然る後堰高さＨに達する。このとき、両側の水密部１４ｃ、１４ｄは、スペーサ１５、１６と接触した水密状態とされ（図３参照）、また防水シート１４の固着部１４ａが凹溝３の底面に固着されて水密状態となっているので（図６参照）、防水シート１４により両壁１と２の間を防水することが可能になる。然る後、防水シート１４の高さが堰高さＨに達した後、前記ロック片４１を鉤部材４２に係止させ、防水シート１４の落下を防止する。防水シート１４の固着部１４ａは、凹溝３の底面に限らず他の面に固着してもよい。
【００５６】
したがって、本実施形態の防水装置１０による場合には、圧縮エアの挿入により袋体１３を膨らませると防水シート１４が支柱１１、１２に沿って起立するため、防水シート１４を使用状態にすべく袋体１３に圧縮エアを迅速に挿入することで短時間でのセットが可能になる。例えば、図１６および図１７に示す従来技術の場合には４〜５分要していたが、それを１分程度までに短縮できる。しかも起立した防水シート１４の高さ寸法（堰高さＨ）は任意に調整しても畳むと防水シート１４は小さくなるので、凹溝３の小型化を図り得る。例えば、凹溝３の幅（奥行き）は、従来技術の場合には３２０ｍｍであったが、堰高さＨに関係なく約３００ｍｍ以下にでき、深さは従来技術の場合には２００ｍｍ〜３００ｍｍを必要としていたが、１２０ｍｍ程度にできる。
【００５７】
また、本実施形態においては、袋体１３が膨らむとその袋体１３自身が長く伸びていき、膨らんだ状態の袋体１３の長さに応じた高さに防水シート１４をセットでき、膨らんだ状態の袋体１３の長さを設計変更することで、防水シート１４の高さを変えることができる。また、防水シート１４には、帯状の補強ベルト２６が、その長手方向を防水シート１４が起立状態のときに水平方向となるように設けられているので、防水シート１４が水圧を受けても、水平方向に長い補強ベルト２６が防水シート１４の撓み変形を抑制することができる。また、防水シート１４に被ガイド部材３０が設けられているので、被ガイド部材３０が支柱１１、１２に沿って確実に案内されて防水シート１４を左右で傾くことなく起立姿勢にすることが可能になる。このとき、被ガイド部材３０は、防水シート１４の補強ベルト２６に取付けられているので、被ガイド部材３０と防水シート１４との間に強い力が作用しても、被ガイド部材３０からの力が補強ベルト２６に吸収されるので、防水シート１４が破損し難くすることが可能となる。また、本実施形態においては、支柱１１、１２は球体３１が内部を通る筒状体であり、上述のように対面状態で配された長孔２１を連結部３２が移動できるので、支柱１１、１２を壁１、２に密着して取付けることができ、これにより、支柱１１、１２と壁１、２との間の水密性を向上させ得るとともに、支柱１１、１２を壁１、２に固着することも可能になる。
【００５８】
なお、上述した実施形態においては支柱１１、１２を壁１、２に固着する構成としているが、本発明はこれに限らない。例えば、図１１に示すように、支柱１１、１２を起立姿勢Ａと横倒れ姿勢Ｂとにわたり変位可能に設けるようにしてもよい。この場合、支柱１１、１２を起立姿勢Ａに保持させる保持手段として、例えば回転自在なつっかい４３を、支柱１１、１２に設けた凹部４４に係止できるように設けておくのが好ましい。このようにした場合には、防水シート１４は勿論のこと、支柱１１、１２までも凹溝３内に収納できるという利点がある。
【００５９】
また、上述した実施形態では使用状態にする際に開閉蓋を取り外すようにしているが、本発明はこれに限らない。例えば、図１２に示すように、開閉蓋４を２分割し、各支柱１１、１２が開閉蓋４ａ、４ｂの下面側に一体的に設けられている構成としてもよい。この構成とした場合には、開閉蓋４ａ、４ｂを凹溝３の長手方向に開くと、支柱１１、１２を壁１、２の近傍において起立状態にすることが可能になる。不要なときは、開閉蓋４ａ、４ｂを閉じると、支柱１１、１２を凹溝３内に収納させ得る。よって、使用状態にしても開閉蓋４の置き場を配慮する必要性がなくなる。また、凹溝３が長尺のときは、開閉蓋４は、図示した２分割構造に限らず、図１３に示すように、中央部４ｃを除く両側４ａ、４ｂのそれぞれに支柱１１、１２を設ける３分割構造としてもよい。但し、図１２または図１３に示す構造とする場合、スペーサ１５、１６は水密性向上のために壁１、２に固着するのが望ましいので、支柱１１、１２は開閉蓋４ａ、４ｂの前側寄りに配するのが好ましい。
【００６０】
また、上述した実施形態ではスペーサに、前側の平板部と後側の三角柱部とを有する一体成形物を用いているが、本発明はこれに限らず、他の断面形状、例えばくさび状のように前側が狭く後側が広い断面形状、或いはその断面形状を基本として多少凹凸のある断面形状であって、柱状となっているものでもよい。
【００６１】
また、上述した実施形態では水圧を利用して防水シートの両側側部をスペーサに接触させる構成を採用しているが、本発明はこれに限らず、図１９及び図２０に示すように防水シートの両側側部を壁に押し付ける構成とするのがより好ましい。この構成を詳細に説明する。防水シート１４の両側の水密部１４ｃ、１４ｄの前側に、袋体１３と同様の材料からなるシール用袋体５０を設け、一方、壁１、２には断面Ｌ字状の押さえ部材５１を設けておき、膨らんだ状態のシール用袋体５０を押さえ部材５１により壁１、２に押し付けるように構成されている。なお、押さえ部材５１の先端側と壁１、２との隙間は、膨らんだ状態のシール用袋体５０よりも小さくなる寸法に設定することがシール性を向上できる点で望ましい。また、このシール用袋体５０は、袋体１３と同時に膨らむようにしていると、押さえ部材５１の先端側と壁１、２との隙間に入り難いため、袋体１３が或る程度膨らんだ後に膨らむようにしておくことがよい。そのためには、リリーフ弁を用いて、一定圧までは袋体１３に圧縮エアが供給され、一定圧に達した後にシール用袋体５０に圧縮エアが供給されるような構成などを採り得る。
【００６２】
また、上述した実施形態では袋体を使用状態で鉛直方向に長くなるように防水シートに取付けるようにしているが、本発明はこれに限らず、図１４（背面図）および図１５（平面図）に示すように防水シート１４′が起立状態のときに各袋体１３′を、その長手方向が水平方向となるように設けてもよい。このようにしても、袋体１３′が膨らむことで防水シート１４′が起立状態に変化していき、セットされる。なお、この構成の場合には、袋体１３′の間は、補強ベルト２６で連結することが、防水シート１４′に直接連結する場合よりも強度上好ましい。また、袋体１３′が膨らんだ直径等の高さ寸法に応じて防水シート１４′の堰高さＨが決まり、その高さまで防水できることとなるので、その堰高さＨの調整は、膨らんだ状態の袋体１３′の断面を楕円等にしたり、或いは袋体１３′の配設個数を調整する等すればよい。
【００６３】
また、上述した実施形態では被ガイド部材の球体に球状のものを用いるようにしているが、本発明はこれに限らず、全方位における半径が一定のものに限らず、中心を通る断面が楕円形等になっているものであってもよい。
【００６４】
また、上述した実施形態では断面矩形状をした筒状の支柱を用いているが、本発明はこれに限らず、図１４および図１５に示したように、棒状の支柱１１′、１２′を使用してもよく、この場合の被ガイド部材は、内部に支柱１１′、１２′が通されるリング４５等を使用することもできる。
【００６５】
また、上述した実施形態ではロック手段は支柱に設けているが、本発明はこれに限らない。例えば、先端に鉤部を連結した紐の基端側を壁に取付け、鉤部を被ガイド部材に引っ掛ける構成などとしてもよい。
【００６６】
また、上述した実施形態ではビルの入口の両壁間に防水装置を設けて防水構造としているが、本発明はビルの入口に限らない。また、本発明の防水装置が設けられる壁としては、ビルの外壁に限らず、それよりも背の低い垣として用いるコンクリート製または金属製の壁などを含む。
【００６７】
更に、上述した実施形態では袋体に、コンプレッサーから供給される圧縮エアを、排出管を介して挿入するようにしているが、本発明はこれに限らず、圧縮エアを詰めたボンベを用いて袋体（シール用袋体を含む）を膨らませるようにしてもよい。この場合には、ボンベと袋体（シール用袋体を含む）とを配管で直接連結してもよいし、或いは、ボンベと袋体（シール用袋体を含む）とを着脱可能な継手を介して連結するようにしてもよい。また、本発明は、圧縮エアに限らず、他の気体を用いてもよく、或いは、気体に代えて水等の液体を用いてもよい。
【００６８】
【発明の効果】
以上詳述したように本発明の防水装置による場合には、気体または液体の挿入により袋体を膨らませると防水シートが支柱に沿って起立する。このとき、気体または液体の挿入量は、その挿入速度を調整することで容易に増大できるので、防水シートを短時間でセットすることが可能になる。しかも起立した防水シートの高さ寸法は任意に調整しても畳むと防水シートは小さくなるので、凹溝の小型化を図り得る。
【００６９】
また、本発明の防水構造による場合には、開閉蓋をあけて凹溝内に収納されている袋体を膨らませると、袋体の膨みに伴って防水シートが支柱に沿って起立して広がり、２つの壁の間を防水できる。
【図面の簡単な説明】
【図１】本発明の一実施形態に係る防水装置をビルの入口に適用した防水構造における防水装置の使用状態を示す正面図である。
【図２】図１の防水装置の使用状態を示す背面図である。
【図３】図１の防水装置の使用状態を示す平面図である。
【図４】図１の防水装置の収納状態を示す左側面図である。
【図５】図１の防水装置の使用状態を示す部分平面図である。
【図６】図１の防水装置に備わった防水シートの下部の取付け状態を示す左側面図である。
【図７】図１の防水装置の防水シートに対する被ガイド部材の取付け状態を示す正面図である。
【図８】図１の防水装置の支柱に設けられたロック手段を説明するための図であり、（ａ）はその正面図、（ｂ）はその左側面図である。
【図９】図１の防水装置に備わった防水シートと袋体との連結状態を示す正面図である。
【図１０】図１の防水装置の使用状態を示す左側面図である。
【図１１】本発明装置の支柱に関する他の実施形態を示す正面図である。
【図１２】本発明装置の支柱に関する更に他の実施形態を示し、（ａ）はその正面図、（ｂ）は平面図である。
【図１３】本発明装置の支柱に関する更に他の実施形態を示し、（ａ）はその正面図、（ｂ）は平面図である。
【図１４】本発明装置の防水シートに関する他の実施形態を示す正面図である。
【図１５】図１４の平面図である。
【図１６】従来の防水装置を示す平面図である。
【図１７】図１６の防水装置を示す右側面図である。
【図１８】（ａ）は図１の防水装置に備わった防水シートの下端角部を示す展開図、（ｂ）は（ａ）の組立状態を示す斜視図である。
【図１９】本発明装置の防水シートに関する更に他の実施形態を示す平面図である。
【図２０】本発明装置の防水シートに関する更に他の実施形態を示す左側面図（防水シートを収納した状態）である。
【符号の説明】
１、２  壁
３  凹溝
４  開閉蓋
１０  防水装置
１１、１２  支柱
１３  袋体
１４  防水シート
１５、１６  スペーサ
２６  補強ベルト
３０  被ガイド部材
４０  ロック手段
５０  シール用袋体
５１  押さえ部材
【図１】
0003610038.tif 000002
【図２】
0003610038.tif 000003
【図３】
0003610038.tif 000004
【図４】
0003610038.tif 000005
【図５】
0003610038.tif 000006
【図６】
0003610038.tif 000007
【図７】
0003610038.tif 000008
【図８】
0003610038.tif 000009
【図９】
0003610038.tif 000010
【図１０】
0003610038.tif 000011
【図１１】
0003610038.tif 000012
【図１２】
0003610038.tif 000013
【図１３】
0003610038.tif 000014
【図１４】
0003610038.tif 000015
【図１５】
0003610038.tif 000016
【図１６】
0003610038.tif 000017
【図１７】
0003610038.tif 000018
【図１８】
0003610038.tif 000019
【図１９】
0003610038.tif 000020
【図２０】
0003610038.tif 000021